(57)【要約】      （修正有）【課題】金属型材の加工、特に、鉄筋コンクリート用スターラップの形成のための機器で当該型材の清浄化を自動的に行うことを可能にし、また、使用上の安全性及び信頼性があることに加え、比較的安価でもある、構造的及び機能的設計が簡潔な金属型材の清浄化装置を提供する。【解決手段】金属型材（２）の選択的清浄化装置は、型材（２）の供給ライン（３）に垂直な平行軸に従って回転駆動するように適合させた円形ブラシ（１３，１４）をそれぞれ備えた第１及び第２の清浄化部材（１１、１２）と、供給ライン（３）に沿って前進する型材（２）の清浄化対象部分の通過を判断するように適合させた制御手段とを備え、第１及び第２の清浄化部材（１１、１２）は、供給ライン（３）を基準にして反対側に、供給ライン（３）に沿って長手方向にずらして配置される。【選択図】図１
0003214306.tif 000002
【実用新案登録請求の範囲】
【請求項１】
棒状又はロールから巻き出される金属型材を加工するための機器に組み込まれる、前記型材を選択的に清浄化するための装置であって、前記型材（２）の供給ライン（３）に垂直な平行軸に従って回転駆動するように適合させた円形ブラシ（１３，１４）をそれぞれ備えた第１及び第２の清浄化部材（１１、１２）と、前記供給ライン（３）に沿って前進する前記型材（２）の清浄化対象部分の通過を判断するように適合させた制御手段とを備え、前記第１及び第２の清浄化部材（１１、１２）は、前記供給ライン（３）を基準にして反対側に、前記供給ライン（３）に沿って長手方向にずらして配置されたことを特徴とする、装置。
【請求項２】
前記円形ブラシ（１３、１４）が、前記供給ライン（３）に沿った前記型材（２）の前進方向とは逆の方向に駆動されるように適合させたことを特徴とする、請求項１に記載の装置。
【請求項３】
前記円形ブラシ（１３、１４）が、前記型材（２）の選択部分の清浄化を可能にするように、前記供給ライン（３）から離れた非作動位置と、前記ブラシ（１３、１４）が前進中の前記型材（２）をわずかに遮る作動位置との間での前記ブラシ（１３、１４）の変位ができるように前記供給ライン（３）を横切る方向に可動性である、各々の支持部材（１５）によって回転可能に誘導されることを特徴とする、請求項２に記載の装置。
【請求項４】
前記第１及び第２の清浄化部材（１１、１２）のうちの少なくとも１つが、供給されている前記金属型材（２）のブラッシング工程において、前記供給ライン（３）に対する円周方向移動に従って作動可能であり、前記円周方向移動は、前記型材（２）の表面全体に前記円形ブラシ（１３、１４）が最適に接触することを確保するように、前記型材（２）の前記供給ライン（３）を横切る面上での前記清浄化部材（１１、１２）の傾斜移動が想定されることを特徴とする、請求項３に記載の装置。
【請求項５】
前記制御手段が、計画された製造部品の形状及び前記型材（２）の前進速度に基づいて、前記供給ライン（３）に沿って前進する前記型材（２）の前記清浄化対象部分の通過を計算するように構成されたことを特徴とする、請求項４に記載の装置。
【請求項６】
前記制御手段が、ブラッシング工程を容易にし、又はより効果的にするために、前記ブラッシング工程中に前記型材（２）の前進を減速又は停止するように構成されたことを特徴とする、請求項５に記載の装置。
【考案の詳細な説明】
【技術分野】
【０００１】
本考案は、棒状又はロールから巻き出される金属型材を加工するための機器での使用が意図された、当該型材を選択的に清浄化するための装置に関する。
【背景技術】
【０００２】
金属型材の矯正（原材料がロールから巻き出される場合）、送り、曲げ及び寸法切断を自動的に行い、鉄筋コンクリート用スターラップを生成することができる機器はよく知られている。このような補強用スターラップは、一般的に、フックが重ねられた閉鎖末端を有しているが、一部の国では、先端を突合せ溶接した閉鎖型スターラップの製造が行われている。事実、突合せ溶接した閉鎖型スターラップは、骨組み及び結果としての構造物に、より優れた抵抗を付与すると考えられている。しかしながら、このようにして実施される溶接は、接合部の抵抗を非制御的に低減させないために、その後、例えば、材料を除去して平らにする作用によるものなどのいかなる変更もあってはならない。
【０００３】
したがって、実際には、スターラップの生成後に、溶接が予定されている型材の末端部分をブラッシングによって清浄化する作業が行われている。この方法にて、溶接工程中に接合部に入り込む可能性があり、また溶接材料に危険な不均質性をもたらすおそれがある不純物が除去される。
【０００４】
しかしながら、溶接前のスターラップの自由端のブラッシング作業は、製造時間を引き延ばすだけでなく、特別な労働力を必要とし、最終的に同スターラップの費用を上げることになる。
【考案の概要】
【考案が解決しようとする課題】
【０００５】
本考案の課題は、金属型材の加工、特に、鉄筋コンクリート用スターラップの形成のための機器で当該型材の清浄化を自動的に行うことを可能にする装置を創出することにより、上記の問題を解決することである。
【０００６】
かかる課題に関して、本考案の更なる目的は、溶接が予定されたスターラップの自由端のみの清浄化を可能にする装置を提供することである。
【０００７】
本考案の別の目的は、使用上の安全性及び信頼性があることに加え、比較的安価でもある、構造的及び機能的設計が簡潔な金属型材の清浄化装置を提供することである。
【課題を解決するための手段】
【０００８】
上記の目的は、本考案に従って、請求項１に記載の清浄化装置によって実現される。
【０００９】
金属型材を選択的に清浄化するための装置は、鉄筋コンクリート用スターラップを生成するための曲げヘッドに向けた型材の供給ラインと、当該スターラップを形成するための型材を一要素の寸法に切断するように適合させた切断部とを備える、当該型材を加工するための機器に組み込まれる。
【００１０】
有利には、装置は、当該供給ラインに沿って前進する当該型材の清浄化対象部分の通過を検出するように適合させた制御手段を備える。
【００１１】
好ましくは、制御手段は、好ましくは後続工程で切断が行われる型材箇所の直前の部分及び直後の部分の通過時に清浄化装置を作動させるように構成される。
【００１２】
装置は、当該供給ラインに垂直な平行軸に従って回転駆動するように適合させた円形ブラシをそれぞれ備えた第１及び第２の清浄化部材を備える。
【００１３】
好ましくは、当該円形ブラシは、金属型材との接触領域における各ブラシの接線速度が当該供給ラインに沿った当該型材の前進方向とは逆の方向になるように回転駆動される。
【００１４】
上記の清浄化部材は、有効的に、金属型材の清浄化対象部分の側面の清浄化を容易にするために、供給ラインを基準にして反対側に、供給ラインに沿って長手方向にずらして配置される。
【００１５】
清浄化部材をずらして反対側に配置する構成は、当該部材間のあらゆる干渉を回避し、これにより、供給ラインのそれぞれの側で、金属型材の選択部分の清浄化を達成するような作動を可能にする。
【００１６】
好ましくは、円形ブラシは、供給ラインから離れた非作動位置と、ブラシが前進中の型材をわずかに遮る作動位置との間での当該ブラシの変位ができるように供給ラインを横切る方向に可動性である、各々の支持部材によって回転可能に誘導される。
【００１７】
本考案の特定の態様によれば、円形ブラシの少なくとも１つが、ブラッシング工程中に、型材の供給ライン、すなわち供給されている型材に対する円周方向移動に従って可動駆動されることが想定され得る。この円周方向移動により、金属型材の清浄化対象部分と、回転する清浄化部材との間の接触が、清浄化対象部分の周囲に及ぶ金属型材の表面上に効果的に拡張される。
【００１８】
本考案の詳細は、添付の図面に例として示される方法に従った金属型材を選択的に清浄化するための装置の好ましい実施形態に関する詳細な説明から一層明らかになるであろう。
【図面の簡単な説明】
【００１９】
【図１】本考案に係る金属型材を選択的に清浄化するための装置を有する金属型材の加工のための機器の斜視図を示す。
【図２ａ】連続運転工程における、本考案に係る選択的清浄化装置の正面図を概略的に示す。
【図２ｂ】連続運転工程における、本考案に係る選択的清浄化装置の正面図を概略的に示す。
【図２ｃ】連続運転工程における、本考案に係る選択的清浄化装置の正面図を概略的に示す。
【図２ｄ】連続運転工程における、本考案に係る選択的清浄化装置の正面図を概略的に示す。
【考案を実施するための形態】
【００２０】
当該図を特に参照すると、本考案の方法に従って作動する、棒状又はロールから巻き出される金属型材２を選択的に清浄化するための装置１０を有する、当該型材２を加工するための機器１が全体的に示されている。具体的に、機器１は、金属型材２の切断及び曲げを自動的に行い、鉄筋コンクリート用スターラップを生成する。
【００２１】
機器１は、よく知られているように、実質的に水平な型材２の供給ライン３を備え、この供給ラインに沿って送りローラ４が配置される。送りローラ４は、型材２を曲げヘッド５に向けて前進させるために、一対で反転配置される。型材２の進行方向に応じた曲げヘッド５の上流側には、スターラップを形成するための型材２を一要素の寸法に切断するように適合させた切断部６が存在する。
【００２２】
清浄化装置１０は、供給ライン３に沿った長手方向に、運転工程中に部材が互いに干渉しないようにわずかにずらして配置された、第１及び第２の清浄化部材１１、１２を備える。明らかではあるが、清浄化装置は、記載されたものとは異なる数の清浄化部材、例えば、１つのみの清浄化部材を備えることも想定することができる。
【００２３】
清浄化部材１１、１２は、型材２の供給ラインに垂直な平行軸に従って回転駆動するように適合させた円形ブラシ１３、１４をそれぞれ備える。
【００２４】
円形ブラシ１３、１４は、供給ライン３から離れた非作動位置と、当該ブラシが前進中の型材２をわずかに遮る作動位置との間での当該ブラシ１３、１４の変位ができるように供給ライン３を横切る方向に可動性である、各々の支持部材１５によって回転可能に誘導される。
【００２５】
上記した位置間における円形ブラシ１３、１４の交互変位は、アクチュエータ部材（図示せず）によって駆動される。具体的には、清浄化部材１１、１２の両方に対して１つのモータ又は別個のモータが想定され得る。この２番目の場合、両方のブラシが型材の同じ部分の清浄化を行うように、円形ブラシ１３、１４を異なる時間に型材２に近づけるようにすることができる。
【００２６】
好ましくは、円形ブラシ１３、１４は、供給ライン３に沿った型材２の前進方向とは逆の方向に回転駆動される。このような場合、清浄化工程中には、同型材のブラッシング作用を決定付ける、ブラシ１３、１４と前進中の型材２との間の相対運動が生じる。
【００２７】
本考案の利点によれば、円形ブラシ１３、１４の型材２への接触は、当該型材の限られた部分だけになることが想定され得る。具体的には、回転する円形ブラシ１３、１４は、続いて型材の切断が行われる箇所に対応する部分が通過するときにのみ、型材２に接触することが想定され得る。このように、ブラッシング作動は、切断箇所の直前の部分及び直後の部分に対してのみ行われる。実際には、単一の運転工程において、各スターラップで溶接工程が予定されているスターラップの最後の部分と次のスターラップの最初の部分を含む、好ましくはその中央で後続の切断が行われる対応部分のブラッシングを行いつつ、他の部分は不必要にブラッシングされないようにすることが可能である。これにより、ブラシの急激な消耗を避けることが可能になり、また、閉鎖型スターラップを得る後続の先端結合加工のために清浄にされ、準備が整った最初と最後の部分を得ることが可能となる。
【００２８】
この目的のために、例えば、計画された製造部品の形状及び型材２の前進速度に基づいて、供給ライン３に沿って前進する型材２の清浄化対象部分の通過を計算するのに適した制御手段（図示せず）が想定され得る。
【００２９】
記載された装置の作動は、上記の説明から容易に理解されよう。
【００３０】
供給方向Ａに従った型材２の曲げヘッド５への供給工程中、回転する円形ブラシ１３、１４は、好ましくは必要な部分に対応した当該型材のブラッシングを行うように、型材２に対して選択的に接触する。具体的には、図２ａ〜２ｄ中の矢印Ｂで示される清浄化対象部分がブラシに一致する位置を通過中であると制御手段が判断したとき、清浄化部材１１、１２の作動位置への変位が行われ、円形ブラシ１３、１４を供給ライン３へ近づける。反転円形ブラシ１３、１４は、このようにして上述した部分のブラッシングを行う。
【００３１】
このような作動を容易にし、又はより効果的にするためには、ブラッシング工程中に型材２の前進を減速又は停止することが想定可能である。
【００３２】
ブラッシング作動の終了後、清浄化部材１１、１２は、非作動位置に戻される。
【００３３】
したがって、本考案に係る装置は、金属型材の加工、特に、鉄筋コンクリート用スターラップの形成のための機器で金属型材の清浄化を自動的に行うという目的を達成する。
【００３４】
特に、本考案に係る装置は、溶接が予定されたスターラップの自由端のみ又はいずれにせよ選択した部分のみの清浄化を可能にする。
【００３５】
一例として記載された装置は、種々の要件に応じて、多くの改変及び変更がなされ得る。例えば、型材の表面全体に円形ブラシが最適に接触することを確保するように、型材の供給ラインを横切る面上での清浄化部材の傾斜移動が想定され得る。
【００３６】
本考案の実際の実施において、使用される材料は、形状及び寸法を含め、必要に応じて、任意のものであってよい。
【００３７】
各請求項に記載される技術的特徴に参照符号が続く場合、かかる参照符号は、実用新案登録請求の範囲の理解を深めるという目的のためにのみ含まれるものであり、したがって、かかる参照符号によって例として特定される各要素の範囲に対して、いかなる制限をもたらすものではない。
【図１】
0003214306.tif 000003
【図２ａ】
0003214306.tif 000004
【図２ｂ】
0003214306.tif 000005
【図２ｃ】
0003214306.tif 000006
【図２ｄ】
0003214306.tif 000007